(57)【要約】【課題】使い勝手の良い補助鞄付きスーツケースを提供する。【解決手段】スーツケース２と、補助鞄３と、この補助鞄３を前記スーツケース２に着脱可能に吊り下げ支持する吊り下げ具４とを備えた補助鞄付きスーツケースであって、前記スーツケース２は、本体部５１と、本体部５１に取り付けられた蓋部５２とを備え、前記蓋部５２の上面５２ａに前記吊り下げ具４が取り付けられ、前記吊り下げ具４によって吊り下げ支持された前記補助鞄３が蓋部５２側に位置している。また、前記補助鞄３は、開口部３ａよりもスーツケース２側の部分が前記吊り下げ具４によって吊り下げ支持されている。【選択図】図１
0003204322.tif 000002
【実用新案登録請求の範囲】
【請求項１】
スーツケースと、補助鞄と、この補助鞄を前記スーツケースに着脱可能に吊り下げ支持する吊り下げ具とを備えた補助鞄付きスーツケースであって、
前記スーツケースは、本体部と、本体部に取り付けられた蓋部とを備え、
前記蓋部の上面に前記吊り下げ具が取り付けられ、
前記吊り下げ具によって吊り下げ支持された補助鞄が蓋部側に位置している
ことを特徴とする補助鞄付きスーツケース。
【請求項２】
前記補助鞄は、開口部よりもスーツケース側の部分が前記吊り下げ具によって吊り下げ支持されている請求項１記載の補助鞄付きスーツケース。
【請求項３】
吊り下げ具を２つ以上備えている請求項１又は２記載の補助鞄付きスーツケース。
【請求項４】
前記蓋部が凹溝を有し、凹溝内に前記吊り下げ具が位置している請求項１から３のいずれかに記載の補助鞄付きスーツケース。
【請求項５】
前記吊り下げ具が前記蓋部に着脱可能に取り付けられている請求項１から４のいずれかに記載の補助鞄付きスーツケース。
【請求項６】
前記補助鞄と前記蓋部とに、互いに対応する固定手段が設けられている請求項１から５のいずれかに記載の補助鞄付きスーツケース。
【請求項７】
前記固定手段が、面ファスナー又は磁石からなる請求項６記載の補助鞄付きスーツケース。
【考案の詳細な説明】
【技術分野】
【０００１】
本考案は、着脱可能な補助鞄を有するスーツケースに関する。
【背景技術】
【０００２】
一般的なスーツケースの収納部は、２つの浅底箱体（本体部と蓋部）の一辺同士をヒンジを介して連結することで構成されている。そのため、物を出し入れするには、スーツケースを寝かせた上で、本を開くようにしてケースを開けなければならず、気軽に物を出し入れすることができない。
【０００３】
そこで、頻繁に使用する物については別の鞄に収納しておき、その鞄をスーツケースに取り付けることも行われている。例えば特許文献１、２では、吊り下げ具を利用して、スーツケースに鞄を吊り下げ支持する構成が開示されている。
【先行技術文献】
【特許文献】
【０００４】
【特許文献１】実用新案登録第３０３６００６号公報
【特許文献２】実用新案登録第３００７４７９号公報
【考案の概要】
【考案が解決しようとする課題】
【０００５】
ところが、特許文献１では、吊り下げ具がスーツケースの本体部と蓋部との接合部に跨っており、吊り下げ具がスーツケースの開閉の邪魔になっていた。
【０００６】
特許文献２では、吊り下げ具がスーツケースの前面側の上端角部に取り付けられているため、スーツケースの開閉の邪魔になることはない。ただ、吊り下げ具に吊り下げ支持された鞄は、スーツケースの上面から吊り下げ具の長さ分だけ下に位置することになるため、鞄のスーツケースへの取り付け、取り外しにあたってしゃがんだり腰を屈めたりする必要が生じ、使い勝手が良くない場合がある。
【０００７】
そこで、本考案は、使い勝手の良い補助鞄付きスーツケースの提供を目的とする。
【課題を解決するための手段】
【０００８】
この考案の補助鞄付きスーツケースは、スーツケース２と、補助鞄３と、この補助鞄３を前記スーツケース２に着脱可能に吊り下げ支持する吊り下げ具４とを備えており、前記スーツケース２は、本体部５１と、本体部５１に取り付けられた蓋部５２とを備え、前記蓋部５２の上面５２ａに前記吊り下げ具４が取り付けられ、前記吊り下げ具４によって吊り下げ支持された前記補助鞄３が蓋部５２側に位置していることを特徴とする。
【０００９】
前記補助鞄３は、開口部３ａよりもスーツケース２側の部分が前記吊り下げ具４によって吊り下げ支持されていることが好ましい。
【００１０】
吊り下げ具４を２つ以上備えていることが好ましい。
【００１１】
前記蓋部５２が凹溝１０を有し、凹溝１０内に前記吊り下げ具４が位置していることが好ましい。
【００１２】
前記吊り下げ具４が前記蓋部５２に着脱可能に取り付けられていることが好ましい。
【００１３】
前記補助鞄３と前記蓋部５２とに、互いに対応する固定手段１１が設けられていることが好ましい。この際、固定手段１１が面ファスナー又は磁石であることが好ましい。
【考案の効果】
【００１４】
この考案の補助鞄付きスーツケースでは、吊り下げ具が蓋部に取り付けられ、吊り下げ具によって吊り下げ支持された補助鞄が蓋部側に位置しているため、吊り下げ具や補助鞄が本体部と蓋部との接合部に跨ることは無く、蓋部の開閉の邪魔になることはない。また、吊り下げ具が蓋部の上面に取り付けられているため、吊り下げ具がスーツケースの上端角部に取り付けられている場合に比べて、吊り下げ支持される補助鞄の高さ位置を高くすることができる。そのため、補助鞄の取り付け、取り外しなどを立ったままで行うこともでき、使い勝手が良い。
【００１５】
また、補助鞄を吊り下げ支持するにあたって、補助鞄内への物の出し入れに用いる開口部よりもスーツケース側の部分を吊り下げ支持していれば、補助鞄への物の出し入れにあたって吊り下げ具が邪魔になることもない。
【００１６】
また、吊り下げ具を２つ以上備えていれば、補助鞄を安定して吊り下げ支持することができる。
【００１７】
また、蓋部が凹溝を有し、凹溝内に吊り下げ具が位置していれば、凹溝の溝壁によって吊り下げ具の動きが規制されることになり、吊り下げ具や補助鞄の動きを抑制することができる。
【００１８】
また、吊り下げ具が蓋部に着脱可能に取り付けられていれば、補助鞄を使用しないときは吊り下げ具ごと取り外すことができる。
【００１９】
補助鞄と蓋部とに、互いに対応する固定手段が設けられていれば、吊り下げ支持のみの場合に比べて、補助鞄をより安定して支持することができる。また、固定手段が面ファスナーや磁石からなれば、着脱が容易であり使い勝手が良い。
【図面の簡単な説明】
【００２０】
【図１】この考案の一実施形態に係る補助鞄付きスーツケースを示す斜視図である。
【図２】同じくその補助鞄付きスーツケースの側面図である。
【図３】他の実施形態に係る補助鞄付きスーツケースを示す斜視図である。
【図４】さらに他の実施形態に係る補助鞄付きスーツケースを示す斜視図である。
【考案を実施するための形態】
【００２１】
以下、この考案の実施形態を図面に基づいて詳細に説明する。図１は、この考案の一実施形態に係る補助鞄付きスーツケースを示している。この補助鞄付きスーツケース１は、スーツケース（キャリーバッグ）２と、補助鞄３と、この補助鞄３をスーツケース２に着脱可能に吊り下げ支持する吊り下げ具４とを備えている。
【００２２】
スーツケース２は、ケース本体５と、ケース本体５の上面に設けられた引き手６と、ケース本体５の下面に設けられたキャスター７とを備えている。まず、ケース本体５について説明すると、ケース本体５は、開口を有する浅底箱型の本体部５１と、同じく開口を有する浅底箱型の蓋部５２とを、開口同士を向かい合わせた状態で重ね合わせ、重ね合わせた部分（接合部）５ａのうち、スーツケース２の立設状態（キャスター７を地面に接地させた状態）において側方に位置する一辺同士をヒンジで連結することで構成されている。本体部５１と蓋部５２との接合部５ａには、図１及び図２に示すようにファスナー５ｂが
設けられており、ファスナー５ｂを開けることで内部空間にアクセスできるようになっている。このケース本体５は、例えばＡＢＳ樹脂やポリカーボネート等の硬質樹脂からなり、所謂ハードケースタイプと呼ばれるものである。但し、布製のいわゆるソフトケースタイプであっても良い。
【００２３】
引き手６は、ケース本体５の後面側に設けられている。具体的には、図２に示すように、引き手６のロッド部６ａが、本体部５１の幅広の側面（ケース本体５の後面）５１ｂの内面に沿うようにして本体部５１内に収納されており、未使用時は、把持部６ｂのみが本体部５１の上面５１ａに露出している。使用時には、把持部６ｂを上方に引き上げ、ロッド部６ａを本体部５１から引き出して使用する。なお、ロッド部６ａは多段式であって、適当な長さに伸縮可能とされている。
【００２４】
キャスター７は、ケース本体５の下面（底面）に合計４つ設けられている。具体的には、平面視略四角形状とされた下面の角近傍にそれぞれ設けられている。このキャスター７はタイヤ部分が、例えばポリウレタン樹脂などの比較的軟質な樹脂からなり、走行音の低減を図っている。
【００２５】
また、ケース本体５の本体部５１の上面５１ａには、引き手６とは別に上面把持部８が設けられている。また、ヒンジが設けられた左側面５１ｃとは反対側の側面（右側面）５１ｄには、側面把持部９が設けられている。
【００２６】
補助鞄３は、図１に示すように、略長方形の袋状であって上部に開口部３ａを有している。この開口部３ａはファスナー３ｂによって開閉可能とされている。また、上部の両端部近傍には、吊り下げ具４を連結するための連結部３ｃが設けられている。この連結部３ｃは、図２に示すように、側面視、開口部３ａよりもスーツケース２側に位置している。そのため、補助鞄３を吊り下げ具４によって吊り下げ支持した状態において、吊り下げ具４が開口部３ａよりもスーツケース２側に位置するようになっており、開口部３ａのファスナー３ｂの開け閉めにあたって吊り下げ具４が邪魔にならないようになっている。この連結部３ｃは例えばＤ鐶からなり、スーツケース２から取り外した状態で、肩掛けベルトを取り付けられるようにもなっている。
【００２７】
吊り下げ具４は、ケース本体５の蓋部５２の上面５２ａに取り付けられている。この吊り下げ具４は、端部同士を重ね合わせることでループ状に形成されたベルト４ａと、ベルト４ａのループに回転可能に支持された回転鐶４ｂと、この回転鐶４ｂに回転可能に支持されたスナップフック（ナス鐶）４ｃとから構成されており、図示しないボルトとナットや鋲などで、ベルト４ａが蓋部５２の上面５２ａに取り付けられている。この吊り下げ具４は、蓋部５２の上面５２ａの両端部近傍に１つずつ、互いに離れて２つ設けられている。そして、この吊り下げ具４に着脱可能に連結された補助鞄３は、両端部近傍がそれぞれ吊り下げ支持されて、ケース本体５の前面（蓋部５２の幅広の側面５２ｂ）に位置している。
【００２８】
上記構成の補助鞄付きスーツケース１は、補助鞄３を有しているため、使用頻度の高い物をスーツケース２に収納しなくても済み、使い勝手が良い。また、補助鞄３が着脱可能となっているため、スーツケース２を預け、補助鞄３のみを持ち歩くといった使い方もできる。さらに、２つの吊り下げ具４で補助鞄３を吊り下げ支持しているため、蓋部５２側に位置する補助鞄３の本体部５１側への移動を防止することができる。そのため、補助鞄３の地面への接触や、バランスの崩れによるスーツケース２の転倒を防止することができる。
【００２９】
図３は、別の補助鞄付きスーツケース１Ａを示している。この補助鞄付きスーツケース
１Ａは、蓋部５２の上面５２ａから幅広の側面５２ｂにかけて連続する凹溝１０を有しており、この凹溝１０内に吊り下げ具４を位置させている点に特徴を有する。このような構成の場合、略帯状の吊り下げ具４が凹溝１０に沿って垂れ下がることとなって、凹溝１０の溝壁によって吊り下げ具４の左右方向の移動が拘束されるため、吊り下げ具４や補助鞄３の左右の揺れを抑制することができる。
【００３０】
図４は、さらに別の補助鞄付きスーツケース１Ｂを示している。この補助鞄付きスーツケース１Ｂは、補助鞄３と蓋部５２とに、互いに対応する固定手段１１を設けている点に特徴を有する。具体的には、図４に示すように、補助鞄３の後面（スーツケース２側の側面）３ｄと、蓋部５２の幅広の側面５２ｂのうち、補助鞄３と対向する又は当接する部分とに互いに対応する固定手段１１を設けている。このように固定手段１１を設けることで、補助鞄３と蓋部５２とが当接状態を維持することとなり、側面把持部９を用いてスーツケース２を搬送しても補助鞄３がぶらつくことがない。固定手段１１としては、例えば磁石や面ファスナーが好ましい。
【００３１】
以上、この考案の代表的な実施形態について説明したが、この考案は上記実施形態に限定されるものではなく、この考案の範囲内で種々変更して実施することが可能である。
【００３２】
例えば上記実施形態では、吊り下げ具４がケース本体５に固定されていたが、ケース本体５に着脱可能に取り付けられていても良い。具体的には、吊り下げ具４の両端にそれぞれスナップフックなどの着脱が容易となる部材を設けるとともに、蓋部５２の上面にＤ鐶などの鐶状体を設けて、一方のスナップフックを鐶状体に連結するようにしても良い。また、吊り下げ具４と補助鞄３とが一体となっていても良い。このように、吊り下げ具４をケース本体５から取り外すことができれば、補助鞄３の不使用時に吊り下げ具４が邪魔になることが無い。また、着脱を容易とする部材としては、スナップフックに限らず、カラビナやワンタッチバックルなどの公知の種々のものも使用可能である。また、吊り下げ具４としては、２つに限らず３つ以上であっても良い。また、吊り下げ具４には、補助鞄３に限らず、ペットボトルホルダーや小物入れなどを吊り下げても良い。
【符号の説明】
【００３３】
１、１Ａ、１Ｂ・・補助鞄付きスーツケース
２・・スーツケース（キャリーバッグ）
３・・補助鞄
３ａ・・開口部
３ｂ・・ファスナー
３ｃ・・連結部
３ｄ・・背面
４・・吊り下げ具
４ａ・・ベルト
４ｂ・・回転鐶
４ｃ・・スナップフック（ナス鐶）
５・・ケース本体
５１・・本体部
５１ａ・・上面
５１ｂ・・幅広の側面（ケース本体の後面）
５１ｃ・・左側面
５１ｄ・・右側面
５２・・蓋部
５２ａ・・上面
５２ｂ・・幅広の側面（ケース本体の前面）
５ａ・・接合部
５ｂ・・ファスナー
６・・引き手
６ａ・・ロッド部
６ｂ・・把持部
７・・キャスター
８・・上面把持部
９・・側面把持部
１０・・凹溝
１１・・固定手段
【図１】
0003204322.tif 000003
【図２】
0003204322.tif 000004
【図３】
0003204322.tif 000005
【図４】
0003204322.tif 000006